(57)【要約】  従来のヘッドフォンでは、イヤーパッドを耳に適切に装着すると、ヘッドバンドが好適な位置に納めることができない場合がある。本開示のヘッドフォンは、音を出力するスピーカユニットを含み、利用者に接するスピーカ筐体と、スピーカ筐体を利用者の前後方向に略直線状に可動な状態で、スピーカ筐体と連結する連結部と、連結部を端部に有し、利用者の頭頂部方向に装着するヘッドバンドと、を備える。これにより、ヘッドフォンをより安定して使用することができる。
2015097934.tif 000002
【特許請求の範囲】
【請求項１】
音を出力するスピーカユニットを含み、利用者に接するスピーカ筐体と、
前記スピーカ筐体を前記利用者の前後方向に略直線状に可動な状態で、前記スピーカ筐体と連結する連結部と、
前記連結部を端部に有し、前記利用者の頭頂部方向に装着するヘッドバンドと、
を備えるヘッドフォン。
【請求項２】
前記スピーカ筐体は、前記利用者の耳を実質的に包み込むイヤーパッドを備える、
請求項１に記載のヘッドフォン。
【請求項３】
前記イヤーパッドは略楕円形状である、請求項２に記載のヘッドフォン。
【請求項４】
前記スピーカ筐体は装着方向の制約を有する、請求項１に記載のヘッドフォン。
【請求項５】
前記イヤーパッドは、前記スピーカユニットから出力された音が前記スピーカ筐体外へ漏れ出る量を抑制する材質である、
請求項２に記載のヘッドフォン。
【請求項６】
前記スピーカ筐体と、前記ヘッドバンドと、は、前記ヘッドバンドの中心軸を鉛直方向とした場合に、前記中心軸方向と前記イヤーパッドの長軸方向とが、所定の角度を有して連結されている、
請求項３に記載のヘッドフォン。
【請求項７】
前記連結部は、前記利用者の前方向へ移動した場合は相対的に位置が上がり、後方向へ移動した場合は相対的に位置が下がる、略直線状に可動可能な状態で、前記スピーカ筐体と連結する、
請求項１に記載のヘッドフォン。
【請求項８】
前記連結部は、前記スピーカ筐体を回転させる回転軸を更に備え、
前記連結部による前記前後方向の移動は、前記回転軸によるスピーカ筐体の前記回転よりも固い抵抗感を伴う、
請求項１に記載のヘッドフォン。
【請求項９】
前記連結部と前記スピーカ筐体はそれぞれ目盛りを有する、
請求項１に記載のヘッドフォン。
【請求項１０】
音を出力するスピーカユニットを含み、利用者に接するスピーカ筐体と、
前記スピーカ筐体を端部に有し、前記利用者の頭頂部方向に装着するヘッドバンドと、
前記利用者の頭頂部付近と前記ヘッドバンドの間に配置され、前記利用者の頭部と接するヘッドパッドと、を備え、
前記ヘッドパッドは、前記ヘッドバンドに対して前記利用者の前後方向に可動である、ヘッドフォン。
【発明の詳細な説明】
【技術分野】
【０００１】
本開示は、スピーカユニットを含むスピーカ筐体と、スピーカユニット筐体を利用者に装着するヘッドバンドと、を有するヘッドフォンに関する。
【背景技術】
【０００２】
音楽を出力する装置として、スピーカや、イヤホン、ヘッドフォン等、使用形態に応じて様々なものがある。ヘッドフォンは、利用者の左右の耳に、スピーカユニットを有するスピーカ筐体をそれぞれ装着する。左右のスピーカ筐体がある場合、ヘッドバンドは、利用者の頭頂部方向から回り込んで左右のスピーカ筐体を連結する。なお、ヘッドフォンは、これ以外にも利用者の後頭部方向から左右のスピーカ筐体等を連結し、利用者に装着するネックバンドを用いたものもある。【０００３】
一般的なヘッドフォンでは、スピーカユニットを有したスピーカ筐体が利用者の耳に好適に装着されるように、幾つかの調整機能が備えられていた。例えば、スピーカ筐体が耳に接触する際の角度を調整できる機能、あるいは、ヘッドハンドの長さを調整できる機能、等があった。【０００４】
また、特許文献１では、メガネを使用している利用者がヘッドフォンを使用する際に、利用者の装着するメガネのフレーム耳かけ部にスピーカユニットを装着し、このフレームにそってスピーカユニットの装着位置を変更する技術を開示している。
【先行技術文献】
【特許文献】
【０００５】
【特許文献１】実開昭５９−１０１５８６号公報
【発明の概要】
【０００６】
しかし、ヘッドフォンを使用する利用者の頭頂部形状や、頭頂部全体に対する相対的な耳の位置は、個人によって異なる。ヘッドフォンを十分に好適に装着できないまま使用した場合、スピーカユニットから出力された音が、十分に利用者の耳に届かない等の問題が生じる可能性がある。そのため、ヘッドフォンを使用する際に、スピーカユニットを有するスピーカ筐体を利用者の耳に好適に装着することはヘッドフォンにおいて重要なポイントである。
【０００７】
そこで、本開示では、より利用者の耳に好適に装着できるヘッドフォンを提供する。
【０００８】
本開示のヘッドフォンは、音を出力するスピーカユニットを含み、利用者に接するスピーカ筐体と、スピーカ筐体を利用者の前後方向に略直線状に可動な状態で、スピーカ筐体と連結する連結部と、連結部を端部に有し、利用者の頭頂部方向に装着するヘッドバンドと、を備える。
【０００９】
本開示のヘッドフォンは、より利用者の耳に好適に装着できる。
【図面の簡単な説明】
【００１０】
【図１】図１は、実施の形態１で示すヘッドフォンの正面図である。
【図２】図２は、実施の形態１で示すヘッドフォンの背面図である。
【図３】図３は、実施の形態１で示すヘッドフォンの左側面図である。
【図４】図４は、実施の形態１で示すヘッドフォンの右側面図である。
【図５】図５は、実施の形態１で示すヘッドフォンの平面図である。
【図６】図６は、実施の形態１で示すヘッドフォンの底面図である。
【図７】図７は、実施の形態１で示すヘッドフォンの別の右側面図である。
【図８Ａ】図８Ａは、実施の形態１で示すイヤーパッドの形状と利用者の耳との関係を示す図である。
【図８Ｂ】図８Ｂは、実施の形態１で示すイヤーパッドの形状と利用者の耳との関係を示す別の図である。
【図９】図９は、実施の形態１で示すスピーカ筐体とヘッドバンドとを接続する位置関係について説明する図である。
【図１０】図１０は、実施の形態１で示す連結部の構成例を説明する図である。
【図１１Ａ】図１１Ａは、実施の形態１で示す本ヘッドフォンを利用者が装着した場合の一例を示す図である。
【図１１Ｂ】図１１Ｂは、実施の形態１で示す本ヘッドフォンを利用者が装着した場合の別の一例を示す図である。
【図１２】図１２は、実施の形態１で示す別のヘッドフォンの左側面図である。
【図１３】図１３は、実施の形態１で示す別のヘッドフォンの右側面図である。
【図１４】図１４は、実施の形態１で示す別のヘッドフォンの形状を変化させた右側面図である。
【図１５Ａ】図１５Ａは、実施の形態２で示すヘッドフォンの斜視図である。
【図１５Ｂ】図１５Ｂは、実施の形態２で示すヘッドフォンの別の斜視図である。
【図１６】図１６は、実施の形態３で示すヘッドフォンのヘッドバンドとスピーカ筐体の接続部分を説明する図である。
【図１７】図１７は、実施の形態４で示すヘッドフォンの斜視図である。
【図１８】図１８は、実施の形態４で示すヘッドフォンの右側面図である。
【図１９】図１９は、実施の形態４で示すヘッドフォンの別の右側面図である。
【図２０】図２０は、実施の形態４で示すヘッドフォンのさらに別の右側面図である。
【図２１Ａ】図２１Ａは、実施の形態４で示すヘッドフォンの別の斜視図である。
【図２１Ｂ】図２１Ｂは、実施の形態４で示すヘッドフォンのさらに別の斜視図である。
【図２２Ａ】図２２Ａは、実施の形態４で示すヘッドフォンのヘッドバンドとヘッドパッドの内部構造の一例を示す図である。
【図２２Ｂ】図２２Ｂは、図２２Ａの２２Ｂ−２２Ｂ断面図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために、提供されるのであって、これらにより特許請求の範囲に記載の主題を限定することは意図されていない。
【００１３】
（実施の形態１）
図１〜６は、本実施の形態で説明するヘッドフォン１００の正投影図である。図１はヘッドフォン１００の正面図、図２はヘッドフォン１００の背面図、図３はヘッドフォン１００の左側面図、図４はヘッドフォン１００の右側面図、図５はヘッドフォン１００の平面図、図６はヘッドフォン１００の底面図である。また、図７は、ヘッドフォン１００の別の右側面図である。
【００１４】
ヘッドフォン１００は、ヘッドバンド１１０と、スピーカ筐体１２０ａ、１２０ｂと、連結部１３０ａ、１３０ｂと、ピンジャック１４０を備える。
【００１５】
ヘッドバンド１１０は、ヘッドフォン１００を装着する利用者の左右の耳に配置されるスピーカ筐体１２０ａと、１２０ｂを支持する。ヘッドバンド１１０は、利用者の上方である頭頂部に沿うように、実質的には円弧形状を有している。
【００１６】
スピーカ筐体１２０ａ、１２０ｂは、ヘッドバンド１１０の両端に接続される。スピーカ筐体１２０ａはヘッドフォン１００を装着する利用者の左耳に配され、スピーカ筐体１２０ｂはヘッドフォン１００を装着する利用者の右耳に配される。スピーカ筐体１２０ａ、１２０ｂは、それぞれ内部に音を出力する図示しないスピーカユニットを有している。また、スピーカ筐体１２０ａの利用者の耳と接触する部分にはイヤーパッド１５０ａが設けられ、スピーカ筐体１２０ｂの利用者の耳と接触する部分にはイヤーパッド１５０ｂが設けられている。以下、特に左右のスピーカ筐体１２０ａ、１２０ｂを区別しない場合は、スピーカ筐体１２０と表現する。同様に、イヤーパッド１５０ａ、１５０ｂの区別をしない場合はイヤーパッド１５０と表現する。
【００１７】
連結部１３０ａ、１３０ｂは、ヘッドバンド１１０のそれぞれ異なる端部に配置されている。連結部１３０ａは、ヘッドバンド１１０とスピーカ筐体１２０ａとを接続し、連結部１３０ｂは、ヘッドバンド１１０とスピーカ筐体１２０ｂとを接続する。以下、特に左右の連結部１３０ａ、１３０ｂの区別をしない場合は、連結部１３０と表現する。
【００１８】
ピンジャック１４０は、図示しない入力プラグを含むコードを有し、入力プラグを再生機器に接続し、再生機器によって音楽が再生され、再生された音楽がヘッドフォン１００へ出力される。
【００１９】
図４、図７に示すようにヘッドフォン１００は、その形状が一部変化する。具体的には、連結部１３０ａと、スピーカ筐体１２０ａが利用者の前後方向に所定の範囲で調整可能である。連結部１３０ａを基準とすると、スピーカ筐体１２０ａの位置が、図４で示す最前方と、図７で示す最後方との範囲で可動である。その結果、ヘッドフォン１００全体としての形状が変化する。
【００２０】
ヘッドフォン１００は、連結部１３０ａとスピーカ筐体１２０ａの連結状態で位置関係が変化する。具体的には、連結部１３０ａとスピーカ筐体１２０ａが、図４と図７に点線で示す直線方向に、相互の連結位置が変化する。スピーカ筐体１２０ａは、連結部１３０ａとの連結面に沿う略直線方向に、その連結位置を変化させることが可能である。図４、図７における直線方向は、ヘッドフォン利用者の前方上方と、後方下方と、を結ぶ方向である。
【００２１】
連結部１３０ａを基準とすると、スピーカ筐体１２０ａは、前方向、すなわち図では左方向、へ移動すれば相対的にスピーカ筐体１２０ａの鉛直方向の位置が上がり、後方向、すなわち図では右方向、へ移動すれば相対的にスピーカ筐体１２０ａの鉛直方向の位置が下がる。反対に、スピーカ筐体１２０ａを基準とすると、連結部１３０ａが前方向へ移動すれば、ヘッドバンド１１０は相対的に鉛直方向の位置が上がり、連結部１３０ａが後方向へ移動すれば、ヘッドバンド１１０は相対的に鉛直方向の位置が下がる。
【００２２】
また、図４、図７で示すように、連結部１３０ａとスピーカ筐体１２０ａとの前後方向の位置関係を変更することで、ヘッドバンド１１０とスピーカ筐体１２０ａとの前後方向の位置関係も調整できる。
【００２３】
ヘッドバンド１１０とスピーカ筐体１２０ａとの略前後方向の位置関係を調整することで、ヘッドフォン１００をより好適に利用者に装着することが可能となる。
【００２４】
なお、ヘッドフォン１００の右側面図を用いてヘッドフォン１００の形状の変化を説明したが、ヘッドフォン１００の左側面においても同様に連結部１３０ｂとスピーカ筐体１２０ｂとの前後方向の位置関係を変更できる。
【００２５】
図８Ａ、図８Ｂは、イヤーパッド１５０の形状と利用者の耳との関係を示す図である。イヤーパッド１５０は、スピーカ筐体１２０が、ヘッドフォン１００を装着する利用者の耳を包み込むように覆う部分である。イヤーパッド１５０が利用者の耳を覆い、利用者の耳をイヤーパッド１５０が囲む空間内に格納する。これによりスピーカユニットと利用者の耳とを含む空間を、隙間の少ない閉空間、すなわち密閉空間、へとより近づけることができる。
【００２６】
図８Ａに示すイヤーパッド１５１は、真円に近い形状を有している。これは、イヤーパッド１５１の角度を考慮することなくヘッドフォン１００を装着できるという利点がある。つまり利用者がヘッドフォン１００を使用する際に、イヤーパッド１５１を用いれは、イヤーパッド１５０の方向を考慮しなくともよい。しかし、その反面、いずれの角度でも好適に耳を覆うためにはイヤーパッド１５０の大きさを比較的大きくしておく必要がある。イヤーパッド１５０が大きくなるとヘッドフォン１００そのものの大きさも大きくなる。
【００２７】
そのため、ヘッドフォン１００の大きさをコンパクトにするためにはイヤーパッド１５０の形状を小さくすることも、一つの要素として求められる。本実施の形態ではより好ましい例として、イヤーパッド１５０の形状をよりコンパクトな構成を示す。
【００２８】
図８Ｂに示すイヤーパッド１５２は、コンパクトな形状を有している。一般的に耳は、長軸方向と短軸方向とを有している。そのため、イヤーパッド１５２も長軸方向と短軸方向を有する形状とする。図８Ｂの一例では、イヤーパッド１５２を図８Ａのイヤーパッド１５１と比較して小型な形状としつつも、より多くの人に使いやすいように楕円形状としている。ここでイヤーパッド１５２の楕円形状は完全な楕円である必要は無く、実質的に楕円形状であればよい。イヤーパッド１５２は、利用者の耳の長軸方向と楕円形状の長軸方向とが実質的に一致するように、装着されることが好ましい。
【００２９】
このように構成することで、イヤーパッド１５０の形状を真円とする場合と比較して、イヤーパッド１５０の形状をよりコンパクトにすることが可能となる。しかし、利用者はヘッドフォン１００を使用する際にイヤーパッド１５０が好適に耳と接する、つまりイヤーパッド１５０が耳を包み込むように覆う方向に調整して、ヘッドフォン１００を装着する必要が生じる。
【００３０】
また、イヤーパッド１５０が図８Ａで示した真円に近い形状を有する場合でも、スピーカ筐体１２０が利用者の耳と接する角度を調整する機能を有している場合、この角度調整ができる方向の制約、例えば、角度調整の軸方向の制約等、によって、イヤーパッド１５０を利用者の耳に装着する角度が実質的に制約を受ける場合が有る。このような場合も、同様に、イヤーパッド１５０が耳と所定の角度を有してヘッドフォン１００を装着する必要が生じる。
【００３１】
つまり、イヤーパッド１５０の形状が真円に近い形状を有する場合でも、イヤーパッド１５０が利用者の耳に対して、図８Ａの平面に対して垂直な回転軸に対して回転して装着できない場合がある。このような場合にもイヤーパッド１５０の方向等を調整してヘッドフォン１００を装着する必要が生じる。形状、機能等に係わらずイヤーパッド１５０が装着方向の制約を有する場合に、ヘッドフォン１００を使用する場合にはこれらの方向を調整して装着する必要が生じる。ここで「装着方向」とは、上述の通りヘッドフォン１００を利用者が装着する場合に、利用者の耳に対してスピーカ筐体１２０の方向を意味する。また「装着方向の制約を有する」とは、「装着方向」が特定の方向に限定して使用されるべきであることを意味する。
【００３２】
なお、スピーカユニットと利用者の耳を含む空間をより密閉空間に近づけるため、スピーカユニットから出力された音が、スピーカ筐体１２０の外へ漏れ出る量を抑制する材質であることが好ましい。具体的には、イヤーパッド１５０やその他のスピーカ筐体１２０の材質を空気透過性の低い材質である。このような材質には、ナイロンや合成皮革が一例としてあげられる。
【００３３】
一般にスピーカユニットから出力される音は、空気を振動することで伝搬する。イヤーパッド１５０等の素材が空気透過率の比較的高いものであると、その素材を透過してスピーカユニットから出力された音がスピーカ筐体１２０外部へ漏れてしまう。同時に外部の音も入り込む。これらの現象は、ヘッドフォンで視聴する音の品質を低下させる要因となる。
【００３４】
図９は、スピーカ筐体１２０とヘッドバンド１１０との取り付けについて説明する図である。
【００３５】
スピーカ筐体１２０のイヤーパッド１５０は既に説明したように、ヘッドフォン１００をコンパクトにするには、実質的に楕円形状とすることが好ましい。しかしその場合には、イヤーパッド１５０と利用者の耳との相対的な位置関係について制約を受ける場合がある。具体的には利用者の耳の長軸方向とイヤーパッド１５０の長軸方向と、利用者の耳の短軸方向とイヤーパッド１５０の短軸方向とを、それぞれ実質的に一致させる必要がある。
【００３６】
一般的に人の耳は、耳長軸方向が鉛直方向と一致せず、処定の角度α（０＜α＜４５：αは実数）を有している。そのため、スピーカ筐体１２０が利用者の耳に好適に装着される場合、ヘッドバンド１１０が利用者の頭頂部方向に実質的に鉛直上向きとなるためにはこの角度αを考慮して、ヘッドバンド１１０とスピーカ筐体１２０とが連結されることが必要となる。つまり、ヘッドバンド１１０は、その中心軸が鉛直方向と実質的に一致する角度αでスピーカ筐体１２０と連結する。
【００３７】
このようにすることで、イヤーパッド１５０をよりコンパクトにできるとともに、ヘッドフォン１００を使用する際に、コンパクトになったイヤーパッド１５２でも利用者の耳を好適に覆うことができる。
【００３８】
図１０は、図１の１０−１０断面図であり、連結部１３０ａの具体的な構成の一例を示す図である。図１０は、図１の１０−１０断面図は利用者の左耳側の断面図であるが、利用者の右耳側も同様であるため、連結部１３０として説明する。連結部１３０は、連結軸３１０と、ストッパ３２０と、可動子３３０と、連結部筐体３４０を有する。
【００３９】
連結軸３１０は、物理的に、連結部１３０とスピーカ筐体１２０を接続する。連結軸３１０は、図示していないが、内部は中空である。スピーカユニットへの配線等は、この中空部分を通る。連結軸３１０は、スピーカ筐体１２０に設けられた挿入用の貫通穴１２１を通る。
【００４０】
ストッパ３２０は、連結軸３１０のスピーカ筐体１２０側の端部に設けられる。ストッパ３２０は、スピーカ筐体１２０が連結軸３１０から下落するのを防ぐ。そのため、ストッパ３２０の長手方向の断面は、スピーカ筐体１２０に設けられた貫通穴１２１の長手方向の断面よりも大きくなる。ストッパ３２０は、貫通穴１２１を通過した連結軸３１０とスピーカ筐体１２０の内部側から結合される。
【００４１】
可動子３３０は、連結軸３１０の連結部１３０側の端部に設けられる。可動子３３０は、連結部筐体３４０の内部に配置されている。可動子３３０は、連結軸３１０、ストッパ３２０、及びスピーカ筐体１２０が、連結部１３０から下落するのを防ぐ。可動子３３０は、連結部筐体３４０に設けられた開口部分３４１の大きさよりも大きい形状を有する。
【００４２】
また、可動子３３０は連結部筐体３４０内部を移動する。この移動により、スピーカ筐体１２０が、ヘッドバンド１１０に対して相対的な位置の変化となる。つまりヘッドフォン１００において、スピーカ筐体１２０が所定の前後方向に移動して調整される。この可動子３３０の連結部筐体３４０内部での可動範囲の大きさが、スピーカ筐体１２０と連結部１３０の調整する量の大きさとなる。
【００４３】
連結部筐体３４０は、可動子３３０を格納する筐体である。連結部筐体３４０の内部は、上述の通り、可動子３３０が連結部筐体３４０の内部を移動するため、可動子３３０の形状よりも大きい空間が必要である。さらに、連結部筐体３４０の下部には、連結軸３１０を貫通させるため、開口部分３４１がある。
【００４４】
なお、連結軸３１０を中心軸として、スピーカ筐体１２０は回転するものであってもよい。回転する場合は、スピーカ筐体１２０は、イヤーパッド１５０を利用者の耳の接触面の角度に応じて、回転方向を調整することが可能となる。
【００４５】
また、連結部筐体３４０の内壁と、可動子３３０の外周部に波状の形状を設けてもよい。可動子３３０が連結部筐体３４０内部を移動する際に、この波状の凸部が接触する部分では、一定力以上の抵抗となる。そのため、スピーカ筐体１２０を前後移動させる場合に、利用者は一定以上の抵抗感を得ることができる。可動子３３０が連結部筐体３４０の内部を移動する度に、この波状の凸部が接触する部分では、一定力以上の抵抗となる。
【００４６】
同様に、連結部筐体３４０内部の空間には、例えば所定以上の粘性を有するグリス等を挿入しておいてもよい。可動子３３０が連結部筐体３４０内部を移動する際に、このグリスが移動に対する抵抗となる。そのため、スピーカ筐体１２０を前後移動させる場合に、利用者は一定以上の抵抗感を得ることが可能となる。
【００４７】
上記の抵抗感を設ける理由は、ヘッドフォン１００を装着した利用者が多少動いても、調整されたヘッドバンド１１０や、スピーカ筐体１２０が、好適な状態を容易に崩してしまうことを防ぐためである。調整済のヘッドバンド１１０やスピーカ筐体１２０の位置関係が崩れると、ヘッドフォン１００の利用者が聞いている音の品質が低下することに繋がる。利用者が動いた場合でもヘッドフォン１００の装着性を保つためには、各種の調整部分において調整した内容がしっかり保持されることが必要となる。そこで、上記のようにスピーカ筐体１２０の位置を保持することを目的として、所定の抵抗感を生じさせるような構成を入れてもよい。
【００４８】
これとは反対に、例えばスピーカ筐体１２０を、連結軸３１０を中心に回転させる部分において、利用者の動きに追随して回転角度が変化するものであっても良い。そういう部分では、抵抗感を比較的小さくするため、上記の様な構成は不要である。
【００４９】
上述したように、ヘッドフォン１００の各部の調整内容に応じて、それぞれの抵抗感を異なるものとするものであって良い。本実施の形態で説明した、連結部１３０における部分では、上記の通り比較的大きめの抵抗感が好ましいと考えられる。
【００５０】
図１１Ａは、本実施の形態のヘッドフォン１００を利用者が装着した場合の一例を示す図である。図１１Ｂは、本実施の形態のヘッドフォン１００を利用者が装着した場合の別の一例を示す図である。
【００５１】
図１１Ａは、連結部１３０ａを基準とすると、スピーカ筐体１２０ａの位置が、最前方に調整した一例である。連結部１３０ａとスピーカ筐体１２０ａの位置を変更せず、利用者がヘッドフォン１００を装着し、好適な条件で装着できる。利用者は、ヘッドフォン１００により、品質の高い状態でヘッドフォン１００が出力する音を楽しむことができる。
【００５２】
図１１Ｂは、連結部１３０ａを基準とすると、スピーカ筐体１２０ａの位置が、最後方に調整した一例である。
【００５３】
連結部１３０ａとスピーカ筐体１２０ａの位置を調整する。調整の手順として具体的には、最初にスピーカ筐体１２０を利用者の耳に好適な状態で装着させる。その後、スピーカ筐体１２０ａの位置を保持しながら、ヘッドバンド１１０をスピーカ筐体１２０ａに対して移動させながら、ヘッドバンド１１０を最も安定して装着する場所を探し、その部分でヘッドバンド１１０を装着する。これにより、好適な条件でヘッドフォン１００を装着することが可能となる。その結果、利用者は、ヘッドフォン１００が出力する音を品質の高い状態で楽しむことが可能となる。
【００５４】
特にイヤーパッド１５０が楕円形状のイヤーパッド１５２であり、スピーカユニットから出力された音がスピーカ筐体１２０外部へ漏れる量を所定量以下に抑えるタイプのヘッドフォン１００の場合には，イヤーパッド１５２の位置は、利用者の耳の場所、方向によりほぼ決定される。その位置を基準として、ヘッドバンド１１０の位置を調整する際に、スピーカ筐体１２０に対して、ヘッドバンド１１０の前後方向の位置を調整することは、より好適に装着できる。
【００５５】
なお、ヘッドフォン１００の使用時にスピーカユニットから出力された音をスピーカ筐体１２０外部へ漏れ出る量を所定量以下にするヘッドフォン１００を一般的に「密閉形ヘッドフォン」と称することもあるが、ここで「密閉形」とは完全な「密閉」を意味するのでは無く、漏れ出る量が所定量以下であることも含めて「密閉形」と理解されている。本開示においても、「密閉形ヘッドフォン」と称する場合には、このような意図で用いている。
【００５６】
なお、上記の説明において、利用者の耳の位置と、頭頂部の位置との関係を例に、本実施の形態で説明したヘッドフォン１００の効果を説明したが、ヘッドフォン１００の装着性は上記の例に限らず、それ以外の要素に依存するものであってもよい。
【００５７】
以上により、本実施の形態で説明したヘッドフォン１００では、連結部１３０とスピーカ筐体１２０との位置関係を利用者の前後方向に移動可能とするものである。この移動性により、ヘッドフォン１００の装着性を向上させることができる。
【００５８】
図１１Ａ、図１１Ｂの一例では、ヘッドバンドとスピーカ筐体との移動量が０の場合と、最大の場合とを例示したが、本実施の形態の内容はこれに限定されるものではない。つまり、移動量が最少の０〜最大の量の間であれば、いずれの移動量でヘッドフォン１００を装着できるものであっても良い。つまり、本実施の形態のヘッドフォン１００は、連結部１３０とスピーカ筐体１２０を利用者の前後方向に連続的にオフセット可能な状態で連結するものである。
【００５９】
また、ヘッドバンド１１０とスピーカ筐体１２０との位置関係の調整は、利用者自身がヘッドバンド１１０とスピーカ筐体１２０とを手動操作して調整するものであってもよいし、連結部１３０にさらにモータ等のアクチュエータ等を設け、アクチュエータの動力で位置関係を調整するものであっても良い。アクチュエータで操作する場合、ヘッドフォン１００にメモリとコントローラを設け、利用者毎にヘッドバンドとスピーカ筐体１２０の位置関係を記録しておき、利用者毎に好適な位置関係を再現できるものであってもよい。
【００６０】
なお、本実施の形態では図４、図７で例示したように、ヘッドバンド１１０を基準としてスピーカ筐体１２０を可動部分と見なした場合に、スピーカ筐体１２０が最前方向にある場合に、ヘッドバンド１１０とスピーカ筐体１２０との移動量であるオフセット量が０となり、スピーカ筐体１２０が最後方にある場合に、オフセット量が最大となる場合を例として図示し、説明した。しかし、本開示のヘッドフォンはこれに限定されるものではない。最前方でオフセット量が最大、最後方向でオフセット量が０となるものであってもよい。また、最前方、最後方いずれのときもオフセット量が生じるものであってもよい。
【００６１】
ただ、本実施の形態で説明したように最前方、又は最後方の一方でオフセット量が０となるような位置関係とすることで、デザイン上どの位置が基準となるかがわかりやすい等の利点が有る。
【００６２】
さらに、連結部１３０とスピーカ筐体１２０との位置関係を利用者が目視できるようにしてもよい。
【００６３】
図１２は、本実施の形態のヘッドフォン２００の左側面図であり、図１３は、本実施の形態のヘッドフォン２００の右側面図であり、図１４は、本実施の形態のヘッドフォン２００の別の右側面図である。
【００６４】
ヘッドフォン２００は、ヘッドバンド１１０と、スピーカ筐体２２０ａ、２２０ｂと、連結部２３０ａ、２３０ｂと、ピンジャック１４０を備える。ヘッドフォン１００と異なる点は、スピーカ筐体２２０ａ、２２０ｂと、連結部２３０ａ、２３０ｂに、調整した量が目視できるように、目盛りを有している点である。目盛りを有していることで、利用者の左右の耳の調整が同じように調整できているか否かを目盛りの位置で確認できる。
【００６５】
（実施の形態２）
本実施の形態では、実施の形態１と相違する部分を中心に説明をする。
【００６６】
図１５Ａは、本実施の形態のヘッドフォン１５００の斜視図であり、図１５Ｂは、本実施の形態のヘッドフォン１５００の別の斜視図である。
【００６７】
ヘッドフォン１５００は、ヘッドバンド上部１５１０と、ヘッドバンド下部１５１１ａ、１５１１ｂと、連結部１５３０ａ、１５３０ｂと、スピーカ筐体１２０ａ、１２０ｂと、ピンジャック１４０を備える。
【００６８】
ヘッドバンド上部１５１０は、利用者の上方である頭頂部に沿うように、実質的には円弧形状を有している。
【００６９】
ヘッドバンド下部１５１１ａ、１５１１ｂは、ヘッドフォン１５００を装着する利用者の左右の耳に配置されるスピーカ筐体１２０ａと、１２０ｂを支持する。
【００７０】
スピーカ筐体１２０ａが利用者の耳と接触する部分にはイヤーパッド１５０ａが設けられ、スピーカ筐体１２０ｂが利用者の耳と接触する部分にはイヤーパッド１５０ｂが設けられている。
【００７１】
連結部１５３０ａは、ヘッドバンド上部１５１０とヘッドバンド下部１５１１ａとを接続し、連結部１５３０ｂは、ヘッドバンド上部１５１０とヘッドバンド下部１５１１ｂとを接続する。
【００７２】
本実施の形態で説明するヘッドフォン１５００は、連結部１５３０ａ、１５３０ｂがヘッドバンド上部１５１０と、ヘッドバンド下部とが、移動可能とする点である。
【００７３】
実施の形態１では、ヘッドバンド１１０とスピーカ筐体１２０の間の連結部１３０で、スピーカ筐体１２０の移動機能も同時に実現する構成をとっていた。本実施の形態では、連結部１５３０ａ、１５３０ｂの移動機能と、ヘッドバンド下部１５１１ａとスピーカ筐体１２０ａとの連結機能、ヘッドバンド下部１５１１ｂとスピーカ筐体１２０ｂとの連結機能と、が異なる構成となっている。このことは、一つの構成に複数の機能を持たせる構成と比較して、個々の構成部位を比較的簡単な機構で実現できる利点がある。
【００７４】
また、本実施の形態のヘッドフォン１５００を装着した場合、装着性を調整するための操作がそれぞれ異なる機構を制御することで実現しているため、比較的調整しやすいという利点がある。
【００７５】
（実施の形態３）
本実施の形態の説明でも、実施の形態２の場合と同様に、実施の形態１と相違する部分を中心に説明する。
【００７６】
図１６は、本実施の形態で説明するヘッドフォン１６００のヘッドバンド１６１０とスピーカ筐体１６２０との接続部分を説明する図である。
【００７７】
ヘッドフォン１６００は、ヘッドバンド１６１０と、連結部１６３０と、スピーカ筐体１６２０と、ピンジャック１４０を備える。
【００７８】
ヘッドバンド１６１０は、ヘッドフォン１６００を装着する利用者の左右の耳に配置されるスピーカ筐体１６２０を支持する。ヘッドバンド１６１０は、利用者の上方である頭頂部に沿うように、実質的には円弧形状を有している。
【００７９】
スピーカ筐体１６２０は、ヘッドバンド１６１０の両端に接続される。スピーカ筐体１６２０はヘッドフォン１６００を装着する利用者の左右の耳に配される。スピーカ筐体１６２０は、それぞれ内部に音を出力する図示しないスピーカユニットを有している。また、スピーカ筐体１６２０が利用者の耳と接触する部分にはイヤーパッド１５０が設けられている。
【００８０】
連結部１６３０は、ヘッドバンド１６１０の端部に配置されている。連結部１６３０は、ヘッドバンド１６１０とスピーカ筐体１６２０とを接続する。
【００８１】
本実施の形態のヘッドフォン１６００は、ヘッドバンド１６１０が、スピーカ筐体１６２０を覆う位置まで下端が伸び、スピーカ筐体１６２０を覆った位置で連結部１６３０と、スピーカ筐体１６２０とが連結している点である。つまり、本実施の形態のヘッドフォン１６００では、ヘッドバンド１６１０とスピーカ筐体１６２０とが側面方向から見た場合、重なり合った位置関係で連結している。
【００８２】
本実施の形態の場合には、ヘッドバンド１６１０と、連結部１６３０とが別の構成となっていても良いし、連結部１６３０がヘッドバンド１６１０に一体として構成されている場合のいずれであっても良い。
【００８３】
実施の形態１と同様に、連結部１６３０がヘッドバンド１６１０に対するスピーカ筐体１６２０の前後移動機能を併せ持つ。ヘッドフォン１６００の利用者は、スピーカ筐体１６２０の調整をこの部分で集中して調整することが可能となる。
【００８４】
（実施の形態４）
本実施の形態では、実施の形態１〜３とは異なる構成で、利用者の耳に好適に装着できるヘッドフォンについて説明する。
【００８５】
図１７は、本実施の形態のヘッドフォン１７００の斜視図であり、図１８は、本実施の形態のヘッドフォン１７００の右側面図であり、図１９は、本実施の形態のヘッドフォン１７００の別の右側面図であり、図２０は、本実施の形態のヘッドフォン１７００のさらに別の右側面図であり、図２１Ａは、本実施の形態のヘッドフォン１７００の別の斜視図であり、図２１Ｂは、本実施の形態のヘッドフォン１７００のさらに別の斜視図である。
【００８６】
ヘッドフォン１７００は、ヘッドバンド１７１０と、ヘッドパッド１７２０と、スピーカ筐体１２０ａ、１２０ｂと、ピンジャック１４０を備える。
【００８７】
ヘッドバンド１７１０は、ヘッドフォン１７００を装着する利用者の左右の耳に配置されるスピーカ筐体１２０ａ、１２０ｂを支持する。ヘッドバンド１７１０は、利用者の上方である頭頂部に沿うように、実質的には円弧形状を有している。
【００８８】
スピーカ筐体１２０ａ、１２０ｂは、ヘッドバンド１７１０の両端に接続される。スピーカ筐体１２０ａ、１２０ｂはヘッドフォン１７００を装着する利用者の左右の耳に配置される。スピーカ筐体１２０ａ、１２０ｂは、それぞれ内部に音を出力する図示しないスピーカユニットを有している。また、スピーカ筐体１２０ａ、１２０ｂが利用者の耳と接触する部分にはイヤーパッド１５０ａ、１５０ｂが設けられている。
【００８９】
ヘッドパッド１７２０は、ヘッドバンド１７１０が利用者の頭頂部付近と接する部分に設けられている。ヘッドパッド１７２０が利用者の頭部と実際に接する。ヘッドパッド１７２０は、ヘッドバンド１７１０の前後方向の幅よりも広い幅を有している。
【００９０】
ヘッドパッド１７２０は、ヘッドバンド１７１０に対して、前後方向にその位置を変更できる。図１９は、ヘッドパッド１７２０を前側に移動した状態を示し、図２０は、反対に、ヘッドパッド１７２０を後側に移動した状態を示している。同様に、図２１Ａは、ヘッドパッド１７２０を前側に移動した状態を示し、図２１Ｂは、ヘッドパッド１７２０を後側に移動した状態を示している。
【００９１】
図２２Ａは、ヘッドフォン１７００のヘッドバンド１７１０とヘッドパッド１７２０の内部構造の一例を示す図であり、図２２Ｂは、図２２Ａの２２Ｂ−２２Ｂ断面図である。
【００９２】
ヘッドバンド１７１０は、凸型突起１７１０ａを有し、ヘッドパッド１７２０は、凸型溝１７２０ａを有しており、凸型突起１７１０ａを、凸型溝１７２０ａに嵌めこみ、スライドさせることにより、ヘッドパッド１７２０は、ヘッドバンド１７１０に対して、前後方向にその位置を変更する。
【００９３】
このヘッドパッド１７２０の位置を、ヘッドバンド１７１０に対して前後方向に調整することで、ヘッドフォン１７００を利用者に装着する際の、ヘッドフォン１７００と利用者の頭部との接触点を前後方向に変更することができる。つまり、本実施の形態のヘッドフォン１７００では、スピーカ筐体１２０ａ、１２０ｂを利用者の耳に好適な状態で装着し、ヘッドバンド１７１０はそれに従って利用者の頭部に対して位置が決定される。しかし、そのままでは利用者によっては、安定してヘッドフォン１７００を装着できない可能性がある。そこで、ヘッドバンド１７１０と利用者の頭部との間にヘッドパッド１７２０を設け、このヘッドパッド１７２０の位置を前後方向に移動可能とする。
【００９４】
これにより、実施の形態１〜３の場合とは異なり、本実施の形態のヘッドバンド１７１０はスピーカ筐体１２０ａ、１２０ｂを支持する機能が主となり、ヘッドフォン１７００を利用者に装着する機能はヘッドパッド１７２０が担う。ヘッドパッド１７２０は、ヘッドバンド１７１０に対して前後方向に移動可能とすることで、ヘッドフォン１７００を装着する際の位置を前後方向に調整できる。これにより、イヤーパッド１５０ａ、１５０ｂを好適に装着することと、ヘッドフォン１７００を安定して装着することの両者が実現できる。
【００９５】
つまり、本実施の形態で説明したヘッドフォン１７００は、スピーカユニットを有するスピーカ筐体１２０ａ、１２０ｂと、スピーカ筐体１２０ａ、１２０ｂを支持するヘッドバンド１７１０と、ヘッドフォン１７００の利用者の頭部と接しヘッドバンド１７１０に前後方向に移動可能に取り付けられたヘッドパッド１７２０と、を備える。
【００９６】
以上により、本実施の形態で説明したヘッドフォン１７００において、利用者の耳に好適に装着できる。
【００９７】
なお、上記の説明では説明を簡単にするために、実施の形態１〜３で説明した、ヘッドバンド１７１０とスピーカ筐体１２０ａ、１２０ｂの前後方向の位置調整がないことを前提として説明したが、本開示はこれに限定されるものではない。実施の形態１〜３で説明した内容と、本実施の形態で説明した内容とを組み合わせるものであっても良い。
【００９８】
（その他変形例）
実施の形態１〜４では、利用者の左右の耳にスピーカ筐体を設けるヘッドフォンについて説明したが、本開示で開示する内容はこれに限定されない。例えば、スピーカユニットを有するスピーカ筐体が左右一方の片側にのみ設けられるようなヘッドフォンであっても良い。
【産業上の利用可能性】
【００９９】
本開示は、音響装置としてのヘッドフォンで利用可能である。
【符号の説明】
【０１００】
１００，２００，１５００，１６００，１７００  ヘッドフォン
１１０，１６１０，１７１０  ヘッドバンド
１２０，１２０ａ，１２０ｂ，２２０ａ，２２０ｂ，１６２０  スピーカ筐体
１２１  貫通穴
１４０  ピンジャック
１３０，１３０ａ，１３０ｂ，２３０ａ，２３０ｂ，１５３０ａ，１５３０ｂ，１６３０  連結部
１５０，１５０ａ，１５０ｂ，１５１，１５２  イヤーパッド
３１０  連結軸
３２０  ストッパ
３３０  可動子
３４０  連結部筐体
３４１  開口部分
１５１０  ヘッドバンド上部
１５１１ａ，１５１１ｂ  ヘッドバンド下部
１７１０ａ  凸型突起
１７２０  ヘッドパッド
１７２０ａ  凸型溝
【図１】
2015097934.tif 000003
【図２】
2015097934.tif 000004
【図３】
2015097934.tif 000005
【図４】
2015097934.tif 000006
【図５】
2015097934.tif 000007
【図６】
2015097934.tif 000008
【図７】
2015097934.tif 000009
【図８Ａ】
2015097934.tif 000010
【図８Ｂ】
2015097934.tif 000011
【図９】
2015097934.tif 000012
【図１０】
2015097934.tif 000013
【図１１Ａ】
2015097934.tif 000014
【図１１Ｂ】
2015097934.tif 000015
【図１２】
2015097934.tif 000016
【図１３】
2015097934.tif 000017
【図１４】
2015097934.tif 000018
【図１５Ａ】
2015097934.tif 000019
【図１５Ｂ】
2015097934.tif 000020
【図１６】
2015097934.tif 000021
【図１７】
2015097934.tif 000022
【図１８】
2015097934.tif 000023
【図１９】
2015097934.tif 000024
【図２０】
2015097934.tif 000025
【図２１Ａ】
2015097934.tif 000026
【図２１Ｂ】
2015097934.tif 000027
【図２２Ａ】
2015097934.tif 000028
【図２２Ｂ】
2015097934.tif 000029
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
音を出力するスピーカユニットを含み、利用者に接するスピーカ筐体と、
前記スピーカ筐体を前記利用者の前後方向に略直線状に可動な状態で、前記スピーカ筐体と連結する連結部と、
前記連結部を端部に有し、前記利用者の頭頂部方向に装着するヘッドバンドと、
を備えるヘッドフォン。
【請求項２】
前記スピーカ筐体は、前記利用者の耳を実質的に包み込むイヤーパッドを備える、
請求項１に記載のヘッドフォン。
【請求項３】
前記イヤーパッドは略楕円形状である、請求項２に記載のヘッドフォン。
【請求項４】
前記スピーカ筐体は装着方向の制約を有する、請求項１に記載のヘッドフォン。
【請求項５】
前記イヤーパッドは、前記スピーカユニットから出力された音が前記スピーカ筐体外へ漏れ出る量を抑制する材質である、
請求項２に記載のヘッドフォン。
【請求項６】
前記スピーカ筐体と、前記ヘッドバンドと、は、前記ヘッドバンドの中心軸を鉛直方向とした場合に、前記中心軸方向と前記イヤーパッドの長軸方向とが、所定の角度を有して連結されている、
請求項３に記載のヘッドフォン。
【請求項７】
前記連結部は、前記利用者の前方向へ移動した場合は相対的に位置が上がり、後方向へ移動した場合は相対的に位置が下がる、略直線状に可動可能な状態で、前記スピーカ筐体と連結する、
請求項１に記載のヘッドフォン。
【請求項８】
前記連結部は、前記スピーカ筐体を回転させる回転軸を更に備え、前記連結部による前記前後方向の移動は、前記回転軸によるスピーカ筐体の前記回転よりも固い抵抗感を伴う、
請求項１に記載のヘッドフォン。
【請求項９】
前記連結部と前記スピーカ筐体はそれぞれ目盛りを有する、
請求項１に記載のヘッドフォン。
【請求項１０】
音を出力するスピーカユニットを含み、利用者に接するスピーカ筐体と、
前記スピーカ筐体を端部に有し、前記利用者の頭頂部方向に装着するヘッドバンドと、
前記利用者の頭頂部付近と前記ヘッドバンドの間に配置され、前記利用者の頭部と接するヘッドパッドと、を備え、
前記ヘッドパッドと前記ヘッドバンドとの間に配置され、突起部を溝部に嵌め込むことにより所定の一方向にスライドするスライド機構を備えており、
前記ヘッドパッドは、前記ヘッドバンドに対して前記利用者の前後方向に可動である、ヘッドフォン。
【手続補正書】
【提出日】平成27年2月17日(2015.2.17)
【手続補正１】
【補正対象書類名】明細書
【補正対象項目名】全文
【補正方法】変更
【補正の内容】
【発明の詳細な説明】
【技術分野】
【０００１】
本開示は、スピーカユニットを含むスピーカ筐体と、スピーカユニット筐体を利用者に装着するヘッドバンドと、を有するヘッドフォンに関する。
【背景技術】
【０００２】
音楽を出力する装置として、スピーカや、イヤホン、ヘッドフォン等、使用形態に応じて様々なものがある。ヘッドフォンは、利用者の左右の耳に、スピーカユニットを有するスピーカ筐体をそれぞれ装着する。左右のスピーカ筐体がある場合、ヘッドバンドは、利用者の頭頂部方向から回り込んで左右のスピーカ筐体を連結する。なお、ヘッドフォンは、これ以外にも利用者の後頭部方向から左右のスピーカ筐体等を連結し、利用者に装着するネックバンドを用いたものもある。
【０００３】
一般的なヘッドフォンでは、スピーカユニットを有したスピーカ筐体が利用者の耳に好適に装着されるように、幾つかの調整機能が備えられていた。例えば、スピーカ筐体が耳に接触する際の角度を調整できる機能、あるいは、ヘッドバンドの長さを調整できる機能、等があった。
【０００４】
また、特許文献１では、メガネを使用している利用者がヘッドフォンを使用する際に、利用者の装着するメガネのフレーム耳かけ部にスピーカユニットを装着し、このフレームにそってスピーカユニットの装着位置を変更する技術を開示している。
【先行技術文献】
【特許文献】
【０００５】
【特許文献１】実開昭５９−１０１５８６号公報
【発明の概要】
【０００６】
しかし、ヘッドフォンを使用する利用者の頭頂部形状や、頭頂部全体に対する相対的な耳の位置は、個人によって異なる。ヘッドフォンを十分に好適に装着できないまま使用した場合、スピーカユニットから出力された音が、十分に利用者の耳に届かない等の問題が生じる可能性がある。そのため、ヘッドフォンを使用する際に、スピーカユニットを有するスピーカ筐体を利用者の耳に好適に装着することはヘッドフォンにおいて重要なポイントである。
【０００７】
そこで、本開示では、より利用者の耳に好適に装着できるヘッドフォンを提供する。
【０００８】
本開示のヘッドフォンは、音を出力するスピーカユニットを含み、利用者に接するスピーカ筐体と、スピーカ筐体を利用者の前後方向に略直線状に可動な状態で、スピーカ筐体と連結する連結部と、連結部を端部に有し、利用者の頭頂部方向に装着するヘッドバンドと、を備える。
【０００９】
本開示のヘッドフォンは、より利用者の耳に好適に装着できる。
【図面の簡単な説明】
【００１０】
【図１】図１は、実施の形態１で示すヘッドフォンの正面図である。
【図２】図２は、実施の形態１で示すヘッドフォンの背面図である。
【図３】図３は、実施の形態１で示すヘッドフォンの左側面図である。
【図４】図４は、実施の形態１で示すヘッドフォンの右側面図である。
【図５】図５は、実施の形態１で示すヘッドフォンの平面図である。
【図６】図６は、実施の形態１で示すヘッドフォンの底面図である。
【図７】図７は、実施の形態１で示すヘッドフォンの別の右側面図である。
【図８Ａ】図８Ａは、実施の形態１で示すイヤーパッドの形状と利用者の耳との関係を示す図である。
【図８Ｂ】図８Ｂは、実施の形態１で示すイヤーパッドの形状と利用者の耳との関係を示す別の図である。
【図９】図９は、実施の形態１で示すスピーカ筐体とヘッドバンドとを接続する位置関係について説明する図である。
【図１０】図１０は、実施の形態１で示す連結部の構成例を説明する図である。
【図１１Ａ】図１１Ａは、実施の形態１で示す本ヘッドフォンを利用者が装着した場合の一例を示す図である。
【図１１Ｂ】図１１Ｂは、実施の形態１で示す本ヘッドフォンを利用者が装着した場合の別の一例を示す図である。
【図１２】図１２は、実施の形態１で示す別のヘッドフォンの左側面図である。
【図１３】図１３は、実施の形態１で示す別のヘッドフォンの右側面図である。
【図１４】図１４は、実施の形態１で示す別のヘッドフォンの形状を変化させた右側面図である。
【図１５Ａ】図１５Ａは、実施の形態２で示すヘッドフォンの斜視図である。
【図１５Ｂ】図１５Ｂは、実施の形態２で示すヘッドフォンの別の斜視図である。
【図１６】図１６は、実施の形態３で示すヘッドフォンのヘッドバンドとスピーカ筐体の接続部分を説明する図である。
【図１７】図１７は、実施の形態４で示すヘッドフォンの斜視図である。
【図１８】図１８は、実施の形態４で示すヘッドフォンの右側面図である。
【図１９】図１９は、実施の形態４で示すヘッドフォンの別の右側面図である。
【図２０】図２０は、実施の形態４で示すヘッドフォンのさらに別の右側面図である。
【図２１Ａ】図２１Ａは、実施の形態４で示すヘッドフォンの別の斜視図である。
【図２１Ｂ】図２１Ｂは、実施の形態４で示すヘッドフォンのさらに別の斜視図である。
【図２２Ａ】図２２Ａは、実施の形態４で示すヘッドフォンのヘッドバンドとヘッドパッドの内部構造の一例を示す図である。
【図２２Ｂ】図２２Ｂは、図２２Ａの２２Ｂ−２２Ｂ断面図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために、提供されるのであって、これらにより特許請求の範囲に記載の主題を限定することは意図されていない。
【００１３】
（実施の形態１）
図１〜６は、本実施の形態で説明するヘッドフォン１００の正投影図である。図１はヘッドフォン１００の正面図、図２はヘッドフォン１００の背面図、図３はヘッドフォン１００の左側面図、図４はヘッドフォン１００の右側面図、図５はヘッドフォン１００の平面図、図６はヘッドフォン１００の底面図である。また、図７は、ヘッドフォン１００の別の右側面図である。
【００１４】
ヘッドフォン１００は、ヘッドバンド１１０と、スピーカ筐体１２０ａ、１２０ｂと、連結部１３０ａ、１３０ｂと、ピンジャック１４０を備える。
【００１５】
ヘッドバンド１１０は、ヘッドフォン１００を装着する利用者の左右の耳に配置されるスピーカ筐体１２０ａと、１２０ｂを支持する。ヘッドバンド１１０は、利用者の上方である頭頂部に沿うように、実質的には円弧形状を有している。
【００１６】
スピーカ筐体１２０ａ、１２０ｂは、ヘッドバンド１１０の両端に接続される。スピーカ筐体１２０ａはヘッドフォン１００を装着する利用者の左耳に配され、スピーカ筐体１２０ｂはヘッドフォン１００を装着する利用者の右耳に配される。スピーカ筐体１２０ａ、１２０ｂは、それぞれ内部に音を出力する図示しないスピーカユニットを有している。また、スピーカ筐体１２０ａの利用者の耳と接触する部分にはイヤーパッド１５０ａが設けられ、スピーカ筐体１２０ｂの利用者の耳と接触する部分にはイヤーパッド１５０ｂが設けられている。以下、特に左右のスピーカ筐体１２０ａ、１２０ｂを区別しない場合は、スピーカ筐体１２０と表現する。同様に、イヤーパッド１５０ａ、１５０ｂの区別をしない場合はイヤーパッド１５０と表現する。
【００１７】
連結部１３０ａ、１３０ｂは、ヘッドバンド１１０のそれぞれ異なる端部に配置されている。連結部１３０ａは、ヘッドバンド１１０とスピーカ筐体１２０ａとを接続し、連結部１３０ｂは、ヘッドバンド１１０とスピーカ筐体１２０ｂとを接続する。以下、特に左右の連結部１３０ａ、１３０ｂの区別をしない場合は、連結部１３０と表現する。
【００１８】
ピンジャック１４０は、図示しない入力プラグを含むコードを有し、入力プラグを再生機器に接続し、再生機器によって音楽が再生され、再生された音楽がヘッドフォン１００へ出力される。
【００１９】
図４、図７に示すようにヘッドフォン１００は、その形状が一部変化する。具体的には、連結部１３０ａと、スピーカ筐体１２０ａが利用者の前後方向に所定の範囲で調整可能である。連結部１３０ａを基準とすると、スピーカ筐体１２０ａの位置が、図４で示す最前方と、図７で示す最後方との範囲で可動である。その結果、ヘッドフォン１００全体としての形状が変化する。
【００２０】
ヘッドフォン１００は、連結部１３０ａとスピーカ筐体１２０ａの連結状態で位置関係が変化する。具体的には、連結部１３０ａとスピーカ筐体１２０ａが、図４と図７に点線で示す直線方向に、相互の連結位置が変化する。スピーカ筐体１２０ａは、連結部１３０ａとの連結面に沿う略直線方向に、その連結位置を変化させることが可能である。図４、図７における直線方向は、ヘッドフォン利用者の前方上方と、後方下方と、を結ぶ方向である。
【００２１】
連結部１３０ａを基準とすると、スピーカ筐体１２０ａは、前方向、すなわち図では左方向、へ移動すれば相対的にスピーカ筐体１２０ａの鉛直方向の位置が上がり、後方向、すなわち図では右方向、へ移動すれば相対的にスピーカ筐体１２０ａの鉛直方向の位置が下がる。反対に、スピーカ筐体１２０ａを基準とすると、連結部１３０ａが前方向へ移動すれば、ヘッドバンド１１０は相対的に鉛直方向の位置が上がり、連結部１３０ａが後方向へ移動すれば、ヘッドバンド１１０は相対的に鉛直方向の位置が下がる。
【００２２】
また、図４、図７で示すように、連結部１３０ａとスピーカ筐体１２０ａとの前後方向の位置関係を変更することで、ヘッドバンド１１０とスピーカ筐体１２０ａとの前後方向の位置関係も調整できる。
【００２３】
ヘッドバンド１１０とスピーカ筐体１２０ａとの略前後方向の位置関係を調整することで、ヘッドフォン１００をより好適に利用者に装着することが可能となる。
【００２４】
なお、ヘッドフォン１００の右側面図を用いてヘッドフォン１００の形状の変化を説明したが、ヘッドフォン１００の左側面においても同様に連結部１３０ｂとスピーカ筐体１２０ｂとの前後方向の位置関係を変更できる。
【００２５】
図８Ａ、図８Ｂは、イヤーパッド１５０の形状と利用者の耳との関係を示す図である。イヤーパッド１５０は、スピーカ筐体１２０が、ヘッドフォン１００を装着する利用者の耳を包み込むように覆う部分である。イヤーパッド１５０が利用者の耳を覆い、利用者の耳をイヤーパッド１５０が囲む空間内に格納する。これによりスピーカユニットと利用者の耳とを含む空間を、隙間の少ない閉空間、すなわち密閉空間、へとより近づけることができる。
【００２６】
図８Ａに示すイヤーパッド１５１は、真円に近い形状を有している。これは、イヤーパッド１５１の角度を考慮することなくヘッドフォン１００を装着できるという利点がある。つまり利用者がヘッドフォン１００を使用する際に、イヤーパッド１５１を用いれは、イヤーパッド１５０の方向を考慮しなくともよい。しかし、その反面、いずれの角度でも好適に耳を覆うためにはイヤーパッド１５０の大きさを比較的大きくしておく必要がある。イヤーパッド１５０が大きくなるとヘッドフォン１００そのものの大きさも大きくなる。
【００２７】
そのため、ヘッドフォン１００の大きさをコンパクトにするためにはイヤーパッド１５０の形状を小さくすることも、一つの要素として求められる。本実施の形態ではより好ましい例として、イヤーパッド１５０の形状をよりコンパクトな構成を示す。
【００２８】
図８Ｂに示すイヤーパッド１５２は、コンパクトな形状を有している。一般的に耳は、長軸方向と短軸方向とを有している。そのため、イヤーパッド１５２も長軸方向と短軸方向を有する形状とする。図８Ｂの一例では、イヤーパッド１５２を図８Ａのイヤーパッド１５１と比較して小型な形状としつつも、より多くの人に使いやすいように楕円形状としている。ここでイヤーパッド１５２の楕円形状は完全な楕円である必要は無く、実質的に楕円形状であればよい。イヤーパッド１５２は、利用者の耳の長軸方向と楕円形状の長軸方向とが実質的に一致するように、装着されることが好ましい。
【００２９】
このように構成することで、イヤーパッド１５０の形状を真円とする場合と比較して、イヤーパッド１５０の形状をよりコンパクトにすることが可能となる。しかし、利用者はヘッドフォン１００を使用する際にイヤーパッド１５０が好適に耳と接する、つまりイヤーパッド１５０が耳を包み込むように覆う方向に調整して、ヘッドフォン１００を装着する必要が生じる。
【００３０】
また、イヤーパッド１５０が図８Ａで示した真円に近い形状を有する場合でも、スピーカ筐体１２０が利用者の耳と接する角度を調整する機能を有している場合、この角度調整ができる方向の制約、例えば、角度調整の軸方向の制約等、によって、イヤーパッド１５０を利用者の耳に装着する角度が実質的に制約を受ける場合が有る。このような場合も、同様に、イヤーパッド１５０が耳と所定の角度を有してヘッドフォン１００を装着する必要が生じる。
【００３１】
つまり、イヤーパッド１５０の形状が真円に近い形状を有する場合でも、イヤーパッド１５０が利用者の耳に対して、図８Ａの平面に対して垂直な回転軸に対して回転して装着できない場合がある。このような場合にもイヤーパッド１５０の方向等を調整してヘッドフォン１００を装着する必要が生じる。形状、機能等に係わらずイヤーパッド１５０が装着方向の制約を有する場合に、ヘッドフォン１００を使用する場合にはこれらの方向を調整して装着する必要が生じる。ここで「装着方向」とは、上述の通りヘッドフォン１００を利用者が装着する場合に、利用者の耳に対してスピーカ筐体１２０の方向を意味する。また「装着方向の制約を有する」とは、「装着方向」が特定の方向に限定して使用されるべきであることを意味する。
【００３２】
なお、スピーカユニットと利用者の耳を含む空間をより密閉空間に近づけるため、スピーカユニットから出力された音が、スピーカ筐体１２０の外へ漏れ出る量を抑制する材質であることが好ましい。具体的には、イヤーパッド１５０やその他のスピーカ筐体１２０の材質を空気透過性の低い材質である。このような材質には、ナイロンや合成皮革が一例としてあげられる。
【００３３】
一般にスピーカユニットから出力される音は、空気を振動することで伝搬する。イヤーパッド１５０等の素材が空気透過率の比較的高いものであると、その素材を透過してスピーカユニットから出力された音がスピーカ筐体１２０外部へ漏れてしまう。同時に外部の音も入り込む。これらの現象は、ヘッドフォンで視聴する音の品質を低下させる要因となる。
【００３４】
図９は、スピーカ筐体１２０とヘッドバンド１１０との取り付けについて説明する図である。
【００３５】
スピーカ筐体１２０のイヤーパッド１５０は既に説明したように、ヘッドフォン１００をコンパクトにするには、実質的に楕円形状とすることが好ましい。しかしその場合には、イヤーパッド１５０と利用者の耳との相対的な位置関係について制約を受ける場合がある。具体的には利用者の耳の長軸方向とイヤーパッド１５０の長軸方向と、利用者の耳の短軸方向とイヤーパッド１５０の短軸方向とを、それぞれ実質的に一致させる必要がある。
【００３６】
一般的に人の耳は、耳長軸方向が鉛直方向と一致せず、所定の角度α（０＜α＜４５：αは実数）を有している。そのため、スピーカ筐体１２０が利用者の耳に好適に装着される場合、ヘッドバンド１１０が利用者の頭頂部方向に実質的に鉛直上向きとなるためにはこの角度αを考慮して、ヘッドバンド１１０とスピーカ筐体１２０とが連結されることが必要となる。つまり、ヘッドバンド１１０は、その中心軸が鉛直方向と実質的に一致する角度αでスピーカ筐体１２０と連結する。
【００３７】
このようにすることで、イヤーパッド１５０をよりコンパクトにできるとともに、ヘッドフォン１００を使用する際に、コンパクトになったイヤーパッド１５２でも利用者の耳を好適に覆うことができる。
【００３８】
図１０は、図１の１０−１０断面図であり、連結部１３０ａの具体的な構成の一例を示す図である。図１０は、図１の１０−１０断面図は利用者の左耳側の断面図であるが、利用者の右耳側も同様であるため、連結部１３０として説明する。連結部１３０は、連結軸３１０と、ストッパ３２０と、可動子３３０と、連結部筐体３４０を有する。
【００３９】
連結軸３１０は、物理的に、連結部１３０とスピーカ筐体１２０を接続する。連結軸３１０は、図示していないが、内部は中空である。スピーカユニットへの配線等は、この中空部分を通る。連結軸３１０は、スピーカ筐体１２０に設けられた挿入用の貫通穴１２１を通る。
【００４０】
ストッパ３２０は、連結軸３１０のスピーカ筐体１２０側の端部に設けられる。ストッパ３２０は、スピーカ筐体１２０が連結軸３１０から下落するのを防ぐ。そのため、ストッパ３２０の長手方向の断面は、スピーカ筐体１２０に設けられた貫通穴１２１の長手方向の断面よりも大きくなる。ストッパ３２０は、貫通穴１２１を通過した連結軸３１０とスピーカ筐体１２０の内部側から結合される。
【００４１】
可動子３３０は、連結軸３１０の連結部１３０側の端部に設けられる。可動子３３０は、連結部筐体３４０の内部に配置されている。可動子３３０は、連結軸３１０、ストッパ３２０、及びスピーカ筐体１２０が、連結部１３０から下落するのを防ぐ。可動子３３０は、連結部筐体３４０に設けられた開口部分３４１の大きさよりも大きい形状を有する。
【００４２】
また、可動子３３０は連結部筐体３４０内部を移動する。この移動により、スピーカ筐体１２０が、ヘッドバンド１１０に対して相対的な位置の変化となる。つまりヘッドフォン１００において、スピーカ筐体１２０が所定の前後方向に移動して調整される。この可動子３３０の連結部筐体３４０内部での可動範囲の大きさが、スピーカ筐体１２０と連結部１３０の調整する量の大きさとなる。
【００４３】
連結部筐体３４０は、可動子３３０を格納する筐体である。連結部筐体３４０の内部は、上述の通り、可動子３３０が連結部筐体３４０の内部を移動するため、可動子３３０の形状よりも大きい空間が必要である。さらに、連結部筐体３４０の下部には、連結軸３１０を貫通させるため、開口部分３４１がある。
【００４４】
なお、連結軸３１０を中心軸として、スピーカ筐体１２０は回転するものであってもよい。回転する場合は、スピーカ筐体１２０は、イヤーパッド１５０を利用者の耳の接触面の角度に応じて、回転方向を調整することが可能となる。
【００４５】
また、連結部筐体３４０の内壁と、可動子３３０の外周部に波状の形状を設けてもよい。可動子３３０が連結部筐体３４０内部を移動する際に、この波状の凸部が接触する部分では、一定力以上の抵抗となる。そのため、スピーカ筐体１２０を前後移動させる場合に、利用者は一定以上の抵抗感を得ることができる。可動子３３０が連結部筐体３４０の内部を移動する度に、この波状の凸部が接触する部分では、一定力以上の抵抗となる。
【００４６】
同様に、連結部筐体３４０内部の空間には、例えば所定以上の粘性を有するグリス等を挿入しておいてもよい。可動子３３０が連結部筐体３４０内部を移動する際に、このグリスが移動に対する抵抗となる。そのため、スピーカ筐体１２０を前後移動させる場合に、利用者は一定以上の抵抗感を得ることが可能となる。
【００４７】
上記の抵抗感を設ける理由は、ヘッドフォン１００を装着した利用者が多少動いても、調整されたヘッドバンド１１０や、スピーカ筐体１２０が、好適な状態を容易に崩してしまうことを防ぐためである。調整済のヘッドバンド１１０やスピーカ筐体１２０の位置関係が崩れると、ヘッドフォン１００の利用者が聞いている音の品質が低下することに繋がる。利用者が動いた場合でもヘッドフォン１００の装着性を保つためには、各種の調整部分において調整した内容がしっかり保持されることが必要となる。そこで、上記のようにスピーカ筐体１２０の位置を保持することを目的として、所定の抵抗感を生じさせるような構成を入れてもよい。
【００４８】
これとは反対に、例えばスピーカ筐体１２０を、連結軸３１０を中心に回転させる部分において、利用者の動きに追随して回転角度が変化するものであっても良い。そういう部分では、抵抗感を比較的小さくするため、上記の様な構成は不要である。
【００４９】
上述したように、ヘッドフォン１００の各部の調整内容に応じて、それぞれの抵抗感を異なるものとするものであって良い。本実施の形態で説明した、連結部１３０における部分では、上記の通り比較的大きめの抵抗感が好ましいと考えられる。
【００５０】
図１１Ａは、本実施の形態のヘッドフォン１００を利用者が装着した場合の一例を示す図である。図１１Ｂは、本実施の形態のヘッドフォン１００を利用者が装着した場合の別の一例を示す図である。
【００５１】
図１１Ａは、連結部１３０ａを基準とすると、スピーカ筐体１２０ａの位置が、最前方に調整した一例である。連結部１３０ａとスピーカ筐体１２０ａの位置を変更せず、利用者がヘッドフォン１００を装着し、好適な条件で装着できる。利用者は、ヘッドフォン１００により、品質の高い状態でヘッドフォン１００が出力する音を楽しむことができる。
【００５２】
図１１Ｂは、連結部１３０ａを基準とすると、スピーカ筐体１２０ａの位置が、最後方に調整した一例である。
【００５３】
連結部１３０ａとスピーカ筐体１２０ａの位置を調整する。調整の手順として具体的には、最初にスピーカ筐体１２０を利用者の耳に好適な状態で装着させる。その後、スピーカ筐体１２０ａの位置を保持しながら、ヘッドバンド１１０をスピーカ筐体１２０ａに対して移動させながら、ヘッドバンド１１０を最も安定して装着する場所を探し、その部分でヘッドバンド１１０を装着する。これにより、好適な条件でヘッドフォン１００を装着することが可能となる。その結果、利用者は、ヘッドフォン１００が出力する音を品質の高い状態で楽しむことが可能となる。
【００５４】
特にイヤーパッド１５０が楕円形状のイヤーパッド１５２であり、スピーカユニットから出力された音がスピーカ筐体１２０外部へ漏れる量を所定量以下に抑えるタイプのヘッドフォン１００の場合には，イヤーパッド１５２の位置は、利用者の耳の場所、方向によりほぼ決定される。その位置を基準として、ヘッドバンド１１０の位置を調整する際に、スピーカ筐体１２０に対して、ヘッドバンド１１０の前後方向の位置を調整することは、より好適に装着できる。
【００５５】
なお、ヘッドフォン１００の使用時にスピーカユニットから出力された音をスピーカ筐体１２０外部へ漏れ出る量を所定量以下にするヘッドフォン１００を一般的に「密閉形ヘッドフォン」と称することもあるが、ここで「密閉形」とは完全な「密閉」を意味するのでは無く、漏れ出る量が所定量以下であることも含めて「密閉形」と理解されている。本開示においても、「密閉形ヘッドフォン」と称する場合には、このような意図で用いている。
【００５６】
なお、上記の説明において、利用者の耳の位置と、頭頂部の位置との関係を例に、本実施の形態で説明したヘッドフォン１００の効果を説明したが、ヘッドフォン１００の装着性は上記の例に限らず、それ以外の要素に依存するものであってもよい。
【００５７】
以上により、本実施の形態で説明したヘッドフォン１００では、連結部１３０とスピーカ筐体１２０との位置関係を利用者の前後方向に移動可能とするものである。この移動性により、ヘッドフォン１００の装着性を向上させることができる。
【００５８】
図１１Ａ、図１１Ｂの一例では、ヘッドバンドとスピーカ筐体との移動量が０の場合と、最大の場合とを例示したが、本実施の形態の内容はこれに限定されるものではない。つまり、移動量が最少の０〜最大の量の間であれば、いずれの移動量でヘッドフォン１００を装着できるものであっても良い。つまり、本実施の形態のヘッドフォン１００は、連結部１３０とスピーカ筐体１２０を利用者の前後方向に連続的にオフセット可能な状態で連結するものである。
【００５９】
また、ヘッドバンド１１０とスピーカ筐体１２０との位置関係の調整は、利用者自身がヘッドバンド１１０とスピーカ筐体１２０とを手動操作して調整するものであってもよいし、連結部１３０にさらにモータ等のアクチュエータ等を設け、アクチュエータの動力で位置関係を調整するものであっても良い。アクチュエータで操作する場合、ヘッドフォン１００にメモリとコントローラを設け、利用者毎にヘッドバンドとスピーカ筐体１２０の位置関係を記録しておき、利用者毎に好適な位置関係を再現できるものであってもよい。
【００６０】
なお、本実施の形態では図４、図７で例示したように、ヘッドバンド１１０を基準としてスピーカ筐体１２０を可動部分と見なした場合に、スピーカ筐体１２０が最前方向にある場合に、ヘッドバンド１１０とスピーカ筐体１２０との移動量であるオフセット量が０となり、スピーカ筐体１２０が最後方にある場合に、オフセット量が最大となる場合を例として図示し、説明した。しかし、本開示のヘッドフォンはこれに限定されるものではない。最前方でオフセット量が最大、最後方向でオフセット量が０となるものであってもよい。また、最前方、最後方いずれのときもオフセット量が生じるものであってもよい。
【００６１】
ただ、本実施の形態で説明したように最前方、又は最後方の一方でオフセット量が０となるような位置関係とすることで、デザイン上どの位置が基準となるかがわかりやすい等の利点が有る。
【００６２】
さらに、連結部１３０とスピーカ筐体１２０との位置関係を利用者が目視できるようにしてもよい。
【００６３】
図１２は、本実施の形態のヘッドフォン２００の左側面図であり、図１３は、本実施の形態のヘッドフォン２００の右側面図であり、図１４は、本実施の形態のヘッドフォン２００の別の右側面図である。
【００６４】
ヘッドフォン２００は、ヘッドバンド１１０と、スピーカ筐体２２０ａ、２２０ｂと、連結部２３０ａ、２３０ｂと、ピンジャック１４０を備える。ヘッドフォン１００と異なる点は、スピーカ筐体２２０ａ、２２０ｂと、連結部２３０ａ、２３０ｂに、調整した量が目視できるように、目盛りを有している点である。目盛りを有していることで、利用者の左右の耳の調整が同じように調整できているか否かを目盛りの位置で確認できる。
【００６５】
（実施の形態２）
本実施の形態では、実施の形態１と相違する部分を中心に説明をする。
【００６６】
図１５Ａは、本実施の形態のヘッドフォン１５００の斜視図であり、図１５Ｂは、本実施の形態のヘッドフォン１５００の別の斜視図である。
【００６７】
ヘッドフォン１５００は、ヘッドバンド上部１５１０と、ヘッドバンド下部１５１１ａ、１５１１ｂと、連結部１５３０ａ、１５３０ｂと、スピーカ筐体１２０ａ、１２０ｂと、ピンジャック１４０を備える。
【００６８】
ヘッドバンド上部１５１０は、利用者の上方である頭頂部に沿うように、実質的には円弧形状を有している。
【００６９】
ヘッドバンド下部１５１１ａ、１５１１ｂは、ヘッドフォン１５００を装着する利用者の左右の耳に配置されるスピーカ筐体１２０ａと、１２０ｂを支持する。
【００７０】
スピーカ筐体１２０ａが利用者の耳と接触する部分にはイヤーパッド１５０ａが設けられ、スピーカ筐体１２０ｂが利用者の耳と接触する部分にはイヤーパッド１５０ｂが設けられている。
【００７１】
連結部１５３０ａは、ヘッドバンド上部１５１０とヘッドバンド下部１５１１ａとを接続し、連結部１５３０ｂは、ヘッドバンド上部１５１０とヘッドバンド下部１５１１ｂとを接続する。
【００７２】
本実施の形態で説明するヘッドフォン１５００は、連結部１５３０ａ、１５３０ｂがヘッドバンド上部１５１０と、ヘッドバンド下部とが、移動可能とする点である。
【００７３】
実施の形態１では、ヘッドバンド１１０とスピーカ筐体１２０の間の連結部１３０で、スピーカ筐体１２０の移動機能も同時に実現する構成をとっていた。本実施の形態では、連結部１５３０ａ、１５３０ｂの移動機能と、ヘッドバンド下部１５１１ａとスピーカ筐体１２０ａとの連結機能、ヘッドバンド下部１５１１ｂとスピーカ筐体１２０ｂとの連結機能と、が異なる構成となっている。このことは、一つの構成に複数の機能を持たせる構成と比較して、個々の構成部位を比較的簡単な機構で実現できる利点がある。
【００７４】
また、本実施の形態のヘッドフォン１５００を装着した場合、装着性を調整するための操作がそれぞれ異なる機構を制御することで実現しているため、比較的調整しやすいという利点がある。
【００７５】
（実施の形態３）
本実施の形態の説明でも、実施の形態２の場合と同様に、実施の形態１と相違する部分を中心に説明する。
【００７６】
図１６は、本実施の形態で説明するヘッドフォン１６００のヘッドバンド１６１０とスピーカ筐体１６２０との接続部分を説明する図である。
【００７７】
ヘッドフォン１６００は、ヘッドバンド１６１０と、連結部１６３０と、スピーカ筐体１６２０と、ピンジャック１４０を備える。
【００７８】
ヘッドバンド１６１０は、ヘッドフォン１６００を装着する利用者の左右の耳に配置されるスピーカ筐体１６２０を支持する。ヘッドバンド１６１０は、利用者の上方である頭頂部に沿うように、実質的には円弧形状を有している。
【００７９】
スピーカ筐体１６２０は、ヘッドバンド１６１０の両端に接続される。スピーカ筐体１６２０はヘッドフォン１６００を装着する利用者の左右の耳に配される。スピーカ筐体１６２０は、それぞれ内部に音を出力する図示しないスピーカユニットを有している。また、スピーカ筐体１６２０が利用者の耳と接触する部分にはイヤーパッド１５０が設けられている。
【００８０】
連結部１６３０は、ヘッドバンド１６１０の端部に配置されている。連結部１６３０は、ヘッドバンド１６１０とスピーカ筐体１６２０とを接続する。
【００８１】
本実施の形態のヘッドフォン１６００は、ヘッドバンド１６１０が、スピーカ筐体１６２０を覆う位置まで下端が伸び、スピーカ筐体１６２０を覆った位置で連結部１６３０と、スピーカ筐体１６２０とが連結している点である。つまり、本実施の形態のヘッドフォン１６００では、ヘッドバンド１６１０とスピーカ筐体１６２０とが側面方向から見た場合、重なり合った位置関係で連結している。
【００８２】
本実施の形態の場合には、ヘッドバンド１６１０と、連結部１６３０とが別の構成となっていても良いし、連結部１６３０がヘッドバンド１６１０に一体として構成されている場合のいずれであっても良い。
【００８３】
実施の形態１と同様に、連結部１６３０がヘッドバンド１６１０に対するスピーカ筐体１６２０の前後移動機能を併せ持つ。ヘッドフォン１６００の利用者は、スピーカ筐体１６２０の調整をこの部分で集中して調整することが可能となる。
【００８４】
（実施の形態４）
本実施の形態では、実施の形態１〜３とは異なる構成で、利用者の耳に好適に装着できるヘッドフォンについて説明する。
【００８５】
図１７は、本実施の形態のヘッドフォン１７００の斜視図であり、図１８は、本実施の形態のヘッドフォン１７００の右側面図であり、図１９は、本実施の形態のヘッドフォン１７００の別の右側面図であり、図２０は、本実施の形態のヘッドフォン１７００のさらに別の右側面図であり、図２１Ａは、本実施の形態のヘッドフォン１７００の別の斜視図であり、図２１Ｂは、本実施の形態のヘッドフォン１７００のさらに別の斜視図である。
【００８６】
ヘッドフォン１７００は、ヘッドバンド１７１０と、ヘッドパッド１７２０と、スピーカ筐体１２０ａ、１２０ｂと、ピンジャック１４０を備える。
【００８７】
ヘッドバンド１７１０は、ヘッドフォン１７００を装着する利用者の左右の耳に配置されるスピーカ筐体１２０ａ、１２０ｂを支持する。ヘッドバンド１７１０は、利用者の上方である頭頂部に沿うように、実質的には円弧形状を有している。
【００８８】
スピーカ筐体１２０ａ、１２０ｂは、ヘッドバンド１７１０の両端に接続される。スピーカ筐体１２０ａ、１２０ｂはヘッドフォン１７００を装着する利用者の左右の耳に配置される。スピーカ筐体１２０ａ、１２０ｂは、それぞれ内部に音を出力する図示しないスピーカユニットを有している。また、スピーカ筐体１２０ａ、１２０ｂが利用者の耳と接触する部分にはイヤーパッド１５０ａ、１５０ｂが設けられている。
【００８９】
ヘッドパッド１７２０は、ヘッドバンド１７１０が利用者の頭頂部付近と接する部分に設けられている。ヘッドパッド１７２０が利用者の頭部と実際に接する。ヘッドパッド１７２０は、ヘッドバンド１７１０の前後方向の幅よりも広い幅を有している。
【００９０】
ヘッドパッド１７２０は、ヘッドバンド１７１０に対して、前後方向にその位置を変更できる。図１９は、ヘッドパッド１７２０を前側に移動した状態を示し、図２０は、反対に、ヘッドパッド１７２０を後側に移動した状態を示している。同様に、図２１Ａは、ヘッドパッド１７２０を前側に移動した状態を示し、図２１Ｂは、ヘッドパッド１７２０を後側に移動した状態を示している。
【００９１】
図２２Ａは、ヘッドフォン１７００のヘッドバンド１７１０とヘッドパッド１７２０の内部構造の一例を示す図であり、図２２Ｂは、図２２Ａの２２Ｂ−２２Ｂ断面図である。
【００９２】
ヘッドバンド１７１０は、凸型突起１７１０ａを有し、ヘッドパッド１７２０は、凸型溝１７２０ａを有しており、凸型突起１７１０ａを、凸型溝１７２０ａに嵌めこみ、スライドさせることにより、ヘッドパッド１７２０は、ヘッドバンド１７１０に対して、前後方向にその位置を変更する。
【００９３】
このヘッドパッド１７２０の位置を、ヘッドバンド１７１０に対して前後方向に調整することで、ヘッドフォン１７００を利用者に装着する際の、ヘッドフォン１７００と利用者の頭部との接触点を前後方向に変更することができる。つまり、本実施の形態のヘッドフォン１７００では、スピーカ筐体１２０ａ、１２０ｂを利用者の耳に好適な状態で装着し、ヘッドバンド１７１０はそれに従って利用者の頭部に対して位置が決定される。しかし、そのままでは利用者によっては、安定してヘッドフォン１７００を装着できない可能性がある。そこで、ヘッドバンド１７１０と利用者の頭部との間にヘッドパッド１７２０を設け、このヘッドパッド１７２０の位置を前後方向に移動可能とする。
【００９４】
これにより、実施の形態１〜３の場合とは異なり、本実施の形態のヘッドバンド１７１０はスピーカ筐体１２０ａ、１２０ｂを支持する機能が主となり、ヘッドフォン１７００を利用者に装着する機能はヘッドパッド１７２０が担う。ヘッドパッド１７２０は、ヘッドバンド１７１０に対して前後方向に移動可能とすることで、ヘッドフォン１７００を装着する際の位置を前後方向に調整できる。これにより、イヤーパッド１５０ａ、１５０ｂを好適に装着することと、ヘッドフォン１７００を安定して装着することの両者が実現できる。
【００９５】
つまり、本実施の形態で説明したヘッドフォン１７００は、スピーカユニットを有するスピーカ筐体１２０ａ、１２０ｂと、スピーカ筐体１２０ａ、１２０ｂを支持するヘッドバンド１７１０と、ヘッドフォン１７００の利用者の頭部と接しヘッドバンド１７１０に前後方向に移動可能に取り付けられたヘッドパッド１７２０と、を備える。
【００９６】
以上により、本実施の形態で説明したヘッドフォン１７００において、利用者の耳に好適に装着できる。
【００９７】
なお、上記の説明では説明を簡単にするために、実施の形態１〜３で説明した、ヘッドバンド１７１０とスピーカ筐体１２０ａ、１２０ｂの前後方向の位置調整がないことを前提として説明したが、本開示はこれに限定されるものではない。実施の形態１〜３で説明した内容と、本実施の形態で説明した内容とを組み合わせるものであっても良い。
【００９８】
（その他変形例）
実施の形態１〜４では、利用者の左右の耳にスピーカ筐体を設けるヘッドフォンについて説明したが、本開示で開示する内容はこれに限定されない。例えば、スピーカユニットを有するスピーカ筐体が左右一方の片側にのみ設けられるようなヘッドフォンであっても良い。
【産業上の利用可能性】
【００９９】
本開示は、音響装置としてのヘッドフォンで利用可能である。
【符号の説明】
【０１００】
１００，２００，１５００，１６００，１７００    ヘッドフォン
１１０，１６１０，１７１０    ヘッドバンド
１２０，１２０ａ，１２０ｂ，２２０ａ，２２０ｂ，１６２０    スピーカ筐体
１２１    貫通穴
１４０    ピンジャック
１３０，１３０ａ，１３０ｂ，２３０ａ，２３０ｂ，１５３０ａ，１５３０ｂ，１６３０    連結部
１５０，１５０ａ，１５０ｂ，１５１，１５２    イヤーパッド
３１０    連結軸
３２０    ストッパ
３３０    可動子
３４０    連結部筐体
３４１    開口部分
１５１０    ヘッドバンド上部
１５１１ａ，１５１１ｂ    ヘッドバンド下部
１７１０ａ    凸型突起
１７２０    ヘッドパッド
１７２０ａ    凸型溝
【手続補正２】
【補正対象書類名】特許請求の範囲
【補正対象項目名】全文
【補正方法】変更
【補正の内容】
【特許請求の範囲】
【請求項１】
音を出力するスピーカユニットを含み、利用者に接するスピーカ筐体と、
前記スピーカ筐体を前記利用者の前後方向に略直線状に可動な状態で、前記スピーカ筐体と連結する連結部と、
前記連結部を端部に有し、前記利用者の頭頂部方向に装着するヘッドバンドと、
を備えるヘッドフォン。
【請求項２】
前記スピーカ筐体は、前記利用者の耳を実質的に包み込むイヤーパッドを備える、
請求項１に記載のヘッドフォン。
【請求項３】
前記イヤーパッドは略楕円形状である、請求項２に記載のヘッドフォン。
【請求項４】
前記スピーカ筐体は装着方向の制約を有する、請求項１に記載のヘッドフォン。
【請求項５】
前記イヤーパッドは、前記スピーカユニットから出力された音が前記スピーカ筐体外へ漏れ出る量を抑制する材質である、
請求項２に記載のヘッドフォン。
【請求項６】
前記スピーカ筐体と、前記ヘッドバンドと、は、前記ヘッドバンドの中心軸を鉛直方向とした場合に、前記中心軸方向と前記イヤーパッドの長軸方向とが、所定の角度を有して連結されている、
請求項３に記載のヘッドフォン。
【請求項７】
前記連結部は、前記利用者の前方向へ移動した場合は相対的に位置が上がり、後方向へ移動した場合は相対的に位置が下がる、略直線状に可動可能な状態で、前記スピーカ筐体と連結する、
請求項１に記載のヘッドフォン。
【請求項８】
前記連結部は、前記スピーカ筐体を回転させる回転軸を更に備え、
前記連結部による前記前後方向の移動は、前記回転軸によるスピーカ筐体の前記回転よりも固い抵抗感を伴う、
請求項１に記載のヘッドフォン。
【請求項９】
前記連結部と前記スピーカ筐体はそれぞれ目盛りを有する、
請求項１に記載のヘッドフォン。
【請求項１０】
音を出力するスピーカユニットを含み、利用者に接するスピーカ筐体と、
前記スピーカ筐体を端部に有し、前記利用者の頭頂部方向に装着するヘッドバンドと、
前記利用者の頭頂部付近と前記ヘッドバンドの間に配置され、前記利用者の頭部と接するヘッドパッドと、を備え、
前記ヘッドパッドと前記ヘッドバンドとの間に配置され、突起部を溝部に嵌め込むことにより所定の一方向にスライドするスライド機構を備えており、
前記ヘッドパッドは、前記ヘッドバンドに対して前記利用者の前後方向に可動である、ヘッドフォン。
【手続補正３】
【補正対象書類名】図面
【補正対象項目名】全図
【補正方法】変更
【補正の内容】
【図１】
2015097934.tif 000030
【図２】
2015097934.tif 000031
【図３】
2015097934.tif 000032
【図４】
2015097934.tif 000033
【図５】
2015097934.tif 000034
【図６】
2015097934.tif 000035
【図７】
2015097934.tif 000036
【図８Ａ】
2015097934.tif 000037
【図８Ｂ】
2015097934.tif 000038
【図９】
2015097934.tif 000039
【図１０】
2015097934.tif 000040
【図１１Ａ】
2015097934.tif 000041
【図１１Ｂ】
2015097934.tif 000042
【図１２】
2015097934.tif 000043
【図１３】
2015097934.tif 000044
【図１４】
2015097934.tif 000045
【図１５Ａ】
2015097934.tif 000046
【図１５Ｂ】
2015097934.tif 000047
【図１６】
2015097934.tif 000048
【図１７】
2015097934.tif 000049
【図１８】
2015097934.tif 000050
【図１９】
2015097934.tif 000051
【図２０】
2015097934.tif 000052
【図２１Ａ】
2015097934.tif 000053
【図２１Ｂ】
2015097934.tif 000054
【図２２Ａ】
2015097934.tif 000055
【図２２Ｂ】
2015097934.tif 000056
【国際調査報告】
2015097934.tif 000057
2015097934.tif 000058